(57)【要約】      （修正有）【課題】複数の種類の商品を消費者に販売するように使用することができる販売インターフェイス整合システムを提供する。【解決手段】販売インターフェイス整合システムは、処理ユニットと、使用者インターフェイスと、支払いモジュールと、商品供給モジュールとを備える。このシステムは使用者インターフェイスに表示された商品項目およびそれに対応する入力ユニットを介して、消費者から入力された複数の商品選択命令を受信して、商品供給モジュールを制御して消費者に商品を提供する。【選択図】図３
2019028976.tif 000002
【特許請求の範囲】
【請求項１】
消費者に多くの種類の商品を販売する販売インターフェイス整合システムであって、
前記システムは、処理ユニットと、使用者インターフェイスと、支払いモジュールと、商品供給モジュールとを備え、
前記使用者インターフェイスは、前記処理ユニットに連結し、少なくとも１つの商品項目および前記商品に対応する少なくとも１つの入力ユニットを備え、且つ使用者が入力した複数の商品選択命令を受信し、
前記支払いモジュールは、前記処理ユニットに連結し、使用者の支払いを受け付けて支払情報を生成して前記処理ユニットに送信し、前記処理ユニットは前記複数の商品選択命令によって引き落としを行い、
前記商品供給モジュールは、前記処理ユニットに連結し、前記処理ユニットは前記複数の商品選択命令によって前記商品供給モジュールを制御して商品を使用者に提供し、
前記複数の商品選択命令は、前記商品項目の複数の単位または複数の種類を選択することを特徴とする、販売インターフェイス整合システム。
【請求項２】
前記少なくとも１つの入力ユニットは、複数回の押し操作によって使用者が選択する複数の単位の前記商品項目を受信することを特徴とする、請求項１に記載の販売インターフェイス整合システム。
【請求項３】
前記処理ユニットは、選択されたすべての前記商品項目の複数の単位および複数の種類が完了された後、まとめて引き落としを行うことを特徴とする、請求項１に記載の販売インターフェイス整合システム。
【請求項４】
前記処理ユニットは、前記商品項目の複数の単位または複数の種類の選択が毎回完了された時に、一回ずつ引き落としを行うことを特徴とする、請求項１に記載の販売インターフェイス整合システム。
【請求項５】
前記使用者インターフェイスは、使用者が入力した複数の商品入力パラメータを受信し、前記複数の商品入力パラメータは商品項目の複数の単位または複数の種類を選択したものであり、前記処理ユニットは前記入力パラメータを受信して、配置されたプログラムを介して、商品単位または種類を表す前記商品選択命令に変換することを特徴とする、請求項１に記載の販売インターフェイス整合システム。
【請求項６】
前記少なくとも１つの入力ユニットは、複数回の押し操作によって使用者が入力した複数の前記商品入力パラメータを受信することを特徴とする、請求項５に記載の販売インターフェイス整合システム。
【請求項７】
前記使用者インターフェイスは、残高表示区を備え、前記処理ユニットが前記商品選択命令によって引き落としを行うと同時に、前記処理ユニットが前記残高表示区を制御して残高を同期的に表示することを特徴とする、請求項１に記載の販売インターフェイス整合システム。
【請求項８】
前記使用者インターフェイスは、商品リスト表示区を備え、前記処理ユニットが前記商品選択命令を受信して選択された前記商品項目の複数の単位または複数の種類を記録し、前記処理ユニットが前記商品リスト表示区を同期的に制御して前記商品項目の複数の単位または複数の種類に基いて商品リストを同期的に表示することを特徴とする、請求項１に記載の販売インターフェイス整合システム。
【請求項９】
前記使用者インターフェイスは、キャンセルボタンを備え、前記キャンセルボタンはキャンセル信号を前記処理ユニットに送信し、前記処理ユニットが前記キャンセル信号を受信して前記複数の商品選択命令を削除して、且つ前記使用者インターフェイスを制御して、表示された残高を前記支払情報に変換して、且つ前記商品リスト表示区に表示するのは前記商品選択命令がまだ受信していない時の内容であることを特徴とする、請求項７または８に記載の販売インターフェイス整合システム。
【請求項１０】
前記使用者インターフェイスは、確認ボタンを備え、前記確認ボタンは確認信号を前記処理ユニットに送信し、前記処理ユニットが前記確認信号を受信して前記商品供給モジュールを制御して前記複数の商品選択命令によって商品を使用者に提供することを特徴とする、請求項１に記載の販売インターフェイス整合システム。
【発明の詳細な説明】
【技術分野】
【０００１】
本発明は販売設備の技術分野に係わり、特に一種の販売インターフェイス整合システムに関する。
【背景技術】
【０００２】
従来の販売設備は、単一の商品項目に対して、一回の支払いで商品を消費者に提供する。消費者が大量の商品を購入するために販売設備を操作する場合に、支払い、商品項目の選択を繰り返すことに大量の時間と精神を無駄にする。
【０００３】
例えば、販売設備に消費者が求める複数の種類の商品を提供している場合に、消費者は支払い、商品選択、お釣りの過程を繰り返さなければならない。しかし、この販売設備が人の多い場所に設置される場合に、消費者の操作過程を減少するインターフェイス整合方法が提供できるなら、商品販売の効率を上がることができる。
【０００４】
本発明者は、従来技術の欠点を改善すべく、産業的な利用を増進する販売設備の商品販売過程を改善するように、一種のインターフェイス整合システムを設計した。
【発明の概要】
【発明が解決しようとする課題】
【０００５】
上記の従来技術の欠点を鑑みて、本発明は前記欠点を改善するように、一種の販売インターフェイス整合システムを提供する。本発明の目的により、一種の販売インターフェイス整合システムを提供し、このシステムは、処理ユニットと、使用者インターフェイスと、支払いモジュールと、商品供給モジュールとを備える。使用者インターフェイスは、処理ユニットに連結し、少なくとも１つの商品項目および前記商品に対応する少なくとも１つの入力ユニットを備え、且つ使用者が入力した複数の商品選択命令を受信し、支払いモジュールは、処理ユニットに連結し、使用者の支払いを受け付けて支払情報を生成して処理ユニットに送信し、処理ユニットは複数の商品選択命令によって引き落としを行う；商品供給モジュールは、処理ユニットに連結し、処理ユニットは複数の商品選択命令によって商品供給モジュールを制御して商品を使用者に提供し、複数の商品選択命令は、商品項目の複数の単位または複数の種類を選択する。
【０００６】
より好ましくは、少なくとも１つの入力ユニットは、複数回の押し操作によって使用者が選択する複数の単位の商品項目を受信する。
【０００７】
より好ましくは、処理ユニットは、選択されたすべての商品項目の複数の単位および複数の種類が完了された後、まとめて引き落としを行う。
【０００８】
より好ましくは、処理ユニットは、商品項目の複数の単位または複数の種類の選択が毎回完了された時に、一回ずつ引き落としを行う。
【０００９】
より好ましくは、使用者インターフェイスは、使用者が入力した複数の商品入力パラメータを受信し、複数の商品入力パラメータは商品項目の複数の単位または複数の種類を選択したものであり、処理ユニットは入力パラメータを受信して、配置されたプログラムを介して、商品単位または種類を表す商品選択命令に変換する。
【００１０】
より好ましくは、少なくとも１つの入力ユニットは、複数回の押し操作によって使用者が入力した複数の商品入力パラメータを受信する。
【００１１】
より好ましくは、使用者インターフェイスは、残高表示区を備え、処理ユニットが商品選択命令によって引き落としを行うと同時に、処理ユニットが残高表示区を制御して残高を同期的に表示する。
【００１２】
より好ましくは、使用者インターフェイスは、商品リスト表示区を備え、処理ユニットが商品選択命令を受信して選択された商品項目の複数の単位または複数の種類を記録し、処理ユニットが前記商品リスト表示区を同期的に制御して商品項目の複数の単位または複数の種類に基いて商品リストを同期的に表示する。
【００１３】
より好ましくは、使用者インターフェイスは、キャンセルボタンを備え、キャンセルボタンはキャンセル信号を処理ユニットに送信し、処理ユニットがキャンセル信号を受信して複数の商品選択命令を削除して、且つ使用者インターフェイスを制御して、表示された残高を支払情報に変換して、且つ商品リスト表示区に表示するのは商品選択命令がまだ受信していない時の内容である。
【００１４】
より好ましくは、使用者インターフェイスは、確認ボタンを備え、確認ボタンは確認信号を処理ユニットに送信し、処理ユニットが確認信号を受信して商品供給モジュールを制御して複数の商品選択命令によって商品を使用者に提供する。
【発明の効果】
【００１５】
上述のように、本発明の販売インターフェイス整合システムは、入力ユニットで入力された複数の種類の商品項目を表す複数の商品選択命令を介して商品の販売過程を減少する。また、入力ユニットに入力パラメータを設定し、そして配置されたプログラムを介して商品単位または種類を表す商品選択命令に変換することによって、この販売システムの適用性を上げる。
【図面の簡単な説明】
【００１６】
【図１】本発明の販売インターフェイス整合システムのブロック図。
【図２】本発明の販売インターフェイス整合システムのフローチャートの例示的な一実施例。
【図３】本発明の販売インターフェイス整合システムのフローチャートの例示的な一実施例。
【図４】本発明の販売インターフェイス整合システムのフローチャートの例示的な一実施例。
【図５】本発明の販売インターフェイス整合システムのフローチャートの例示的な一実施例。
【発明を実施するための形態】
【００１７】
本発明をより完全に理解するために、本発明の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本発明の実施後の原寸に比例したものや精確に配置したものには何ら拘束されない。よって、図示された図面は、添付図面の比例と配置関係で解釈されてはならず、本発明を実際に実施する権利範囲に制限することを意図したものではないことについて先に説明しておきたい。
【００１８】
先に説明するのは、要素が他の要素に“設置される”場合に、その要素は他の要素に固定されるまたは取付可能に固定されることができる。要素が他の要素に“連結される”場合に、その要素は他の要素に直接に連結されるまたはその間に中間要素を含むことができる。
【００１９】
以下は添付図面及び説明により、本発明の販売インターフェイス整合システムの実施例を説明し、また、より理解しやすくするために、以下の実施例における同じ要素は同じ符号で表示する。
【００２０】
図１に示されるのは、本発明の販売インターフェイス整合システムのブロック図である。図面に示されるように、販売インターフェイス整合システム１０は使用者インターフェイス１０２を備え、使用者インターフェイス１０２は少なくとも１つの入力ユニット１０２２および少なくとも１つの商品項目１０２１を備え、且つ使用者インターフェイス１０２は処理ユニット１０３に電気接続する；商品供給モジュール１０５および支払いモジュール１０４は、別々に処理ユニット１０３に電気接続する。
【００２１】
続いて、使用者インターフェイス１０２は、使用者が販売インターフェイス整合システム１０を操作するように提供され、使用者インターフェイスに設置される商品の単位または種類を表示する商品項目１０２１、および実体ボタンまたはタッチセンサ構造である入力ユニット１０２２を介して販売インターフェイス整合システム１０を操作し、使用者インターフェイス１０２はサンプルの固定看板またはタッチディスプレイ装置である。
【００２２】
そのうち、入力ユニット１０２２は処理ユニット１０３に制御され、入力された命令は、商品項目の種類および単位の情報を含む命令、またはその入力された情報を削除する命令であり、且つ入力された命令は操作過程および販売インターフェイス整合システム１０に販売される商品項目によって調整される。
【００２３】
そのうち、支払いモジュール１０４は使用者の支払いを受けて、その金額を計算して支払情報を生成して処理ユニット１０３に送信する。そのうち、支払いモジュール１０４が対応できる支払い方法は、電子チケット、コードまたは現金；さらに、処理ユニット１０３は支払いモジュール１０４を制御して返金することができる。
【００２４】
商品供給モジュール１０５は処理ユニット１０３から受信した商品供給命令を実行して使用者に商品を提供し、そのうち、商品供給モジュール１０５は、現有の商品を提供、電子チケットを印刷、ＦＡＸ、電子チケットを送信などの方式によって商品を提供する。
【００２５】
上述のように、本発明の整合システムを説明すると共に、本発明の整合方法の概念について説明したが、より明瞭にするように、以下はフローチャートを参照しながら説明する。
【００２６】
本発明の方法を明確にするように、以下に本発明の処理ユニット１０３の処理過程について説明する。図２を参照しながら説明する。図２は本発明の販売インターフェイス整合システムの例示的な実施例のフローチャートであり、その処理ユニット１０３が以下のステップを実行する：
（Ｓ２０１）使用者インターフェイスを制御して支払いモジュール１０４に支払った支払情報を表示して；ステップ（Ｓ２０２）に進む。
（Ｓ２０２）使用者インターフェイスを制御して、支払った金額より低い値段である選択可能な商品を表示して；ステップ（Ｓ２０３）に進む。
（Ｓ２０３）入力ユニットが送信した商品選択命令を受信して；ステップ（Ｓ２０４）に進む。
（Ｓ２０４）商品選択命令を情報リストにまとめて；ステップ（Ｓ２０５）に進む。
（Ｓ２０５）使用者インターフェイスを制御して残高を表示して；ステップ（Ｓ２０６）に進む。
（Ｓ２０６）再選択命令、注文確認命令または返金命令を受信し、再選択命令であれば、ステップ（Ｓ２０２）に進み；注文確認命令であれば、ステップ（Ｓ２０７）に進み；返金命令であれば、ステップ（Ｓ２０８）に進む。
（Ｓ２０７）商品を提供するように商品供給モジュールを制御し、且つお釣りを出金するように支払いモジュールを制御する。
（Ｓ２０８）支払いモジュールを制御して支払った金額を返金する。
【００２７】
図１および図２を参照して、使用者インターフェイス１は、標記、色変えまたは画像を表示することによって、支払金額より低い値段である選択可能な商品を表示する。
【００２８】
ステップＳ２０６において、使用者インターフェイスは、残高および再選択、注文確認、返金の命令を出力するための入力ユニット１０２２だけを表示し、そのうち、注文確認命令を出力する入力ユニット１０２２を選択する場合に、ステップ２０７に進み、処理ユニット１０３が商品供給モジュール１０５を制御して、情報リストにある全ての商品を提供し、支払いモジュール１０４を制御して残高によってお釣りを出金する。
【００２９】
この販売インターフェイス整合システムの実施例は、ストラップ、記念品などのものを提供する自動販売設備に使用できる。例えば、ストラップの値段は７０円、記念品は４０円であり、消費者が支払いモジュールを介して１０００円を支払った後、支払いモジュールが１０００円の支払情報を生成して処理ユニットに送信する。
【００３０】
そして、消費者がストラップを表す入力ユニットを５回押して、入力ユニットが５つのストラップ選択命令を生成した後、処理ユニットに送信して５回の引き落としを実行し、その５回のストラップ選択命令を情報リストにまとめる。処理ユニットが使用者インターフェイスを制御して、残高６５０円を表示する。
【００３１】
この時、消費者が記念品を表す入力ユニットを５回押して、入力ユニットが５つの記念品選択命令を生成した後、処理ユニットに送信して５回の引き落としを実行する。それと同時に、処理ユニットが使用者インターフェイスを制御して、残高４５０円を表示する。
【００３２】
この時、もし消費者がまだ購買意欲があって、且つ残高が足りるなら、消費者は残高より低い金額の商品を表す入力ユニットを押すことにより商品選択命令を生成して商品を購入することができ、且つ相応な金額を引き落とす。また、もし消費者が返金したいなら、返金を表す入力ユニットを押して事前に支払った１０００円を取り戻すと共に、使用者インターフェイスが最初の状態に戻す。また、消費者が購買を確認する場合に、処理ユニットは商品供給モジュールを制御して５つのストラップおよび５つの記念品を消費者に提供し、且つ支払いモジュールを制御して４５０円のお釣りを出金する。
【００３３】
上述のように、本実施例において、消費者が支払いモジュールを介して支払い金額を支払った後に、購入したい商品を表す入力ユニットを複数回押して、購買完成後に確認を表す入力ユニットを押すことにより、商品供給モジュールによって選択された商品を取得して、支払いモジュールからお釣りを領収する。
【００３４】
図３を参照しながら説明する。図３に示されるのは、本発明のフローチャートの例示的な実施例であり、前記処理ユニットが以下のステップを実行する：
（Ｓ３０１）使用者インターフェイスを制御して支払いモジュール１０４に支払った支払情報を表示し；ステップ（Ｓ３０２）に進む。
（Ｓ３０２）使用者インターフェイスを制御して、支払った金額より低い値段である選択可能な商品を表示し；ステップ（Ｓ３０３）に進む。
（Ｓ３０３）処理ユニット１０３を制御して入力ユニットが送信した商品選択命令を受信し；ステップ（Ｓ３０４）に進む。
（Ｓ３０４）商品供給モジュール１０５を制御して商品を提供し、使用者インターフェイス１０２を制御して残高を表示し；ステップ（Ｓ３０５）に進む。
（Ｓ３０５）お釣り命令または商品選択命令を受信する。商品選択命令を受信した場合はステップ（Ｓ３０３）に戻し、お釣り命令を受信した場合はステップ（Ｓ３０６）に進む。
（Ｓ３０６）残高に基づいて支払いモジュールを制御してお釣りを出金する。
【００３５】
図１および図３を参照しながら説明する。支払いモジュール１０４が支払情報を受信すると、ステップＳ３０１に進み、支払いモジュール１０４が受信した支払情報を表示する。また、ステップＳ３０３に進む場合に、処理ユニット１０３が商品選択命令を受信して、ステップＳ３０４に進む。そのうち、処理ユニット１０３の受信した支払情報が使用者インターフェイス１０２に表示される一番低い値段よりも高い場合に、ステップＳ３０３およびＳ３０５を実行する。即ち、処理ユニット１０３が毎回商品選択命令を受信する時、相応な商品を一回ずつ消費者に提供する。
【００３６】
さらに、支払いモジュール１０４は操作過程中の任意の階段で支払を受けて支払情報を生成する。例えば、ステップＳ３０４において、使用者インターフェイス１０２が残高を表示する場合に、消費者が支払いモジュール１０４を介してお金を支払った後、処理ユニット１０３が使用者インターフェイス１０２を制御して、ステップＳ３０４に残高を相応に追加する。
【００３７】
例えば、本販売インターフェイス整合システムの実施例は炭酸飲料、コーヒーを提供する自動販売設備である。コーヒーの値段は２０円であり、炭酸飲料は３０円である。消費者が支払いモジュール１０４を介して１００円を支払った後、支払いモジュール１０４が１００円である支払情報を生成し、その支払情報を処理ユニット１０３に送信する。
【００３８】
その後、消費者がコーヒーを表す入力ユニットを押すことにより、コーヒー選択命令を生成して処理ユニット１０３に送信して２０円を引き落とす。そして処理ユニット１０３が使用者インターフェイス１０２を制御して残高８０円を表示する。
【００３９】
それと同時に、処理ユニット１０３が商品供給モジュールを制御してコーヒー選択命令によって、随時に購買したコーヒーを消費者に提供する。
【００４０】
その後、消費者が炭酸飲料を表す入力ユニットを押すことにより、炭酸飲料選択命令を生成して処理ユニット１０３に送信して３０円を引き落とす。そして処理ユニット１０３が使用者インターフェイス１０２を制御して残高５０円を表示する。
【００４１】
それと同時に、処理ユニット１０３が商品供給モジュールを制御して炭酸飲料選択命令によって、随時に購買した炭酸飲料を消費者に提供する。
【００４２】
上述する販売過程の中に、もし消費者がまだ購買意欲があって、且つ残高が足りるなら、消費者は商品金額が残高より低い物を表す入力ユニットを押すことにより商品選択命令を生成して商品を購入することができ、且つ相応な金額を引き落とす。また、もし消費者は購買意欲がなかったら、お釣りを表す入力ユニットを押して処理ユニットにお釣り入力命令を送信し、処理ユニットが支払いモジュールを制御して残高を出金する。
【００４３】
上述のように、本実施例において、消費者が支払いモジュールを介してお金を支払った後、購入したい商品を表す入力ユニットを毎回押すことによって、商品供給モジュールが相応に商品を供給し、購入完了後に、お釣りを表す入力ユニットを押して、支払いモジュールを介して残高を領収する。
【００４４】
図４を参照しながら説明する。図４に示されるのは、本発明のフローチャートの例示的な実施例であり、その処理ユニットが以下のステップを実行する：
（Ｓ４０１）使用者インターフェイス１０２を制御して商品項目１０２１を表示し；ステップ（Ｓ４０２）に進む。
（Ｓ４０２）入力ユニット１０２２から入力された商品入力パラメータを受信し；ステップ（Ｓ４０３）に進む。
（Ｓ４０３）受信した商品入力パラメータを商品選択命令に変換し；ステップ（Ｓ４０４）に進む。
（Ｓ４０４）使用者インターフェイス１０２を制御して購入リストを表示し；ステップ（Ｓ４０５）に進む。
（Ｓ４０５）再選択命令または決済命令を受信し、再選択命令を受信した場合はステップ（Ｓ４０１）に戻す。決済命令を受信した場合はステップ（Ｓ４０６）に進む。
（Ｓ４０６）支払いモジュール１０４からの支払情報を受信し；ステップ（Ｓ４０７）に進む。
（Ｓ４０７）支払った金額が購入リストの商品金額より多いかを判断し、そうであれば、ステップ（Ｓ４０９）に進み；そうでなければ、ステップ（Ｓ４０８）に進む。
（Ｓ４０８）使用者インターフェイス１０２を制御して支払待ち金額を表示し、ステップ（Ｓ４０６）に進む。
（Ｓ４０９）商品供給命令または返金命令を受信し、商品供給命令を受信した場合はステップ（Ｓ４１０）に進み；返金命令を受信した場合はステップ（Ｓ４１１）進む。
（Ｓ４１０）商品供給モジュール１０５を制御して商品を提供し、且つ支払いモジュール１０４を制御してお釣りを出金する。
（Ｓ４１１）支払いモジュール１０４を制御して返金する。
【００４５】
図１および図４を参照し、詳しく説明すると、ステップＳ４０１において、使用者インターフェイス１０２が商品項目１０２１を表示し、そのうち、商品項目１０２１は単一の命令ではなく、組み合わせた複数の命令によって表す商品である。例えば、起点および終点の指定が必要な切符、日程および座席の指定が必要なコンサートチケットなど。
【００４６】
図４に示されるように、ステップＳ４０４において、処理ユニットが使用者インターフェイスを制御して複数の商品選択命令を表示し、複数の商品選択命令によって購入リストの金額の情報によって表示する。そのうち、購買確認後に、ステップＳ４０６〜Ｓ４０８中任意のステップに、処理ユニット１０３が支払いモジュール１０４を制御して支払いを受けて、毎回支払った金額によりその金額を支払情報に追加する。
【００４７】
さらに、ステップＳ４０６〜Ｓ４０８において、処理ユニット１０３はいつでも返金命令または購買キャンセル命令を受信することができる。例えば、ステップＳ４０８において、処理ユニット１０３が返金命令を受信する場合に、支払ったお金を消費者に返金する。処理ユニット１０３が購買キャンセル命令を受信後に、ステップＳ４０１に戻す。
【００４８】
そのうち、図１および図４を参照し、商品供給モジュール１０５が供給する商品は、切符、チケット、引換券、または郵送命令を送信した後のレシートを含む。
【００４９】
例えば、本発明の販売インターフェイス整合システムの実施例は、日付が１／１４、１／１５、１／１６、であり、起点および終点が台北、桃園、台中、嘉義、高雄を含む切符を販売する自動販売設備である。
【００５０】
この時、消費者が１／１４を表す入力ユニットを押すことによって、１／１４を表す入力ユニットが１／１４を表す入力パラメータを処理ユニット１０３に送信し、そして、消費者が起点が台北を表す入力ユニットを押すことにより、起点が台北を表す入力ユニットが起点が台北を表す入力パラメータを処理ユニット１０３に送信し、また、消費者が終点が嘉義を表す入力ユニットを押すことにより、終点が嘉義を表す入力ユニットが終点が嘉義を表す入力パラメータを処理ユニット１０３に送信する。その時、処理ユニット１０３は１／１４を表す入力パラメータ、起点が台北を表す入力パラメータ、および終点が嘉義を表す入力パラメータによって、１／１４に台北から嘉義行きの切符を表す商品選択命令を生成し、且つ入力パラメータによってその切符の値段は６００円である結果を得る。
【００５１】
そして、処理ユニット１０３が使用者インターフェイス１０２を制御して、選択リストに１／１４に台北から嘉義行きの商品選択命令を表示し、且つその値段は６００円であることを表示する。
【００５２】
その後、消費者が１／１６を表す入力ユニットを押すことによって、１／１６を表す入力ユニットが１／１６を表す入力パラメータを処理ユニット１０３に送信し、そして、消費者が起点が高雄を表す入力ユニットを押すことにより、起点が高雄を表す入力ユニットが起点が高雄を表す入力パラメータを処理ユニット１０３に送信し、また、消費者が終点が桃園を表す入力ユニットを押すことにより、終点が桃園を表す入力ユニットが終点が桃園を表す入力パラメータを処理ユニット１０３に送信する。その時、処理ユニット１０３は１／１６を表す入力パラメータ、起点が高雄を表す入力パラメータ、および終点が桃園を表す入力パラメータによって、１／１６に高雄から桃園行きの切符を表す商品選択命令を生成し、且つ入力パラメータによってその切符の値段は７００円であることを得る。
【００５３】
そして、処理ユニット１０３が使用者インターフェイス１０２を制御して、選択リストに１／１６に高雄から桃園行きの商品選択命令を表示し、且つその値段は７００円であることを表示する。
【００５４】
その時、使用者インターフェイスには、１／１４に台北から嘉義行きの商品選択命令および１／１６に高雄から桃園行きの商品選択命令が購入リストに表示され、そして１／１４に台北から嘉義行きの切符の値段は６００円、１／１６に高雄から桃園行きの切符の値段が７００円、および総購入金額は１３００円であることを表示する。
【００５５】
この時、消費者がリストを確認して、また他の購買が必要なら、他の商品を表す入力ユニットを押せば良い。また、購入が不要であれば、購買キャンセルを表す入力ユニットを押して、購買キャンセル命令を生成して処理ユニット１０３に送信し、その購入リストを消して元の状態に戻す。また、消費者が購買を確認すると、決済を表す入力ユニットを押して、決済命令を処理ユニットに送信する。
【００５６】
この時、消費者は支払いモジュール１０４を介して支払って、支払情報を生成し、処理ユニット１０３は支払情報が購入リストの金額１３００円より多いかを判断する。もし支払情報が購入リストの金額１３００円より少ない場合に、消費者は支払待ちの情報によって支払いモジュール１０４を介して金額を補足する。もし支払情報が購入リストの金額１３００円より多い場合に、商品領収を表す入力ユニットを消費者に提供する。
【００５７】
消費者が商品領収を表す入力ユニットを押すことによって、商品領収命令を処理ユニット１０３に送信し、処理ユニット１０３は商品供給モジュールを制御して１／１４に台北から嘉義行きの切符、および１／１６に高雄から桃園行きの切符を消費者に提供する。また、支払情報が購入リストの金額１３００円より多い場合に、支払モジュールを介してお釣りを出金する。
【００５８】
そのうち、前記販売過程の途中に、消費者は購買キャンセルを表す入力ユニットを押すことによって、購買キャンセル命令を処理ユニットに送信し、処理ユニットは購買キャンセル命令に基づいて支払いモジュールを制御して支払った金額を消費者に返金し、且つ使用者インターフェイスを制御して最初の画面に戻す事ができる。
【００５９】
上述のように、本実施例において、消費者は異なる入力パラメータを表す入力ユニットを押すことによって、相応な入力パラメータ命令を処理ユニットに送信し、処理ユニットは受信した入力パラメータ命令に基づいて相応な商品選択命令を生成し、商品の値段を計算して使用者インターフェイスに購入リストを表示する。使用者は購入リストを確認して支払過程に進み、支払いモジュールを介して支払待ちの金額を支払うと、選択された商品を入手する。
【００６０】
図５を参照し、図５に示されるのは、本発明のフローチャートの例示的な実施例であり、その処理ユニットが以下の操作を実行する：
（Ｓ５０１）使用者インターフェイスを制御して支払いモジュール１０４に支払った支払情報を表示して；ステップ（Ｓ５０２）に進む。
（Ｓ５０２）使用者インターフェイスを制御して、支払った金額より低い値段である選択可能な商品を表示して；ステップ（Ｓ５０３）に進む。
（Ｓ５０３）入力ユニットが送信したの商品選択命令を受信して；ステップ（Ｓ５０４）に進む。
（Ｓ５０４）商品選択命令を商品種類リストにまとめて；ステップ（Ｓ５０２）に進む。
（Ｓ５０５）使用者インターフェイス１０２を制御して商品種類リストおよび残高を表示し；進入ステップ（Ｓ５０６）に進む。
（Ｓ５０６）再選択命令、注文確認命令または返金命令を受信し、再選択命令であれば、ステップ（Ｓ５０２）に進み；注文確認命令であれば、ステップ（Ｓ５０７）に進み；返金命令であれば、ステップ（Ｓ５０８）に進む。
（Ｓ５０７）商品を提供するように商品供給モジュールを制御し、且つお釣りを出金するように支払いモジュールを制御する。
（Ｓ５０８）支払いモジュールを制御して支払った金額を返金する。
【００６１】
図１および図５を参照し、ステップＳ５０５において、使用者インターフェイス１０２は消費者に選択された商品の種類を確認するために、商品種類リストおよび残高を表示し、且つ商品種類リストは複数のページの表示画面に表示することができる。
【００６２】
図５を参照し、例えば、本発明の販売インターフェイス整合システムの実施例は、炭酸飲料、カップ麺、コーヒー、ナイフとフォーク、スプーンと箸、歯磨き粉と歯ブラシ、フロッシングなどの商品を提供するように使用される。そのうち、炭酸飲料の値段は３０円であり、カップ麺の値段は４０円であり、コーヒーの値段は３０円であり、ナイフとフォークの値段は６０円であり、スプーンと箸の値段は２０円であり、歯磨き粉と歯ブラシの値段は８０円であり、フロッシングの値段は４０円である。消費者が支払いモジュール１０４を介して５００円を支払った後に、支払いモジュール１０４が５００円の支払情報を生成して処理ユニット１０３に送信する。
【００６３】
その後、消費者がコーヒーを表す入力ユニットを押すことにより、コーヒー選択命令を生成して処理ユニット１０３に送信して３０円を引き落とす。そして処理ユニット１０３が使用者インターフェイス１０２を制御して残高４７０円を表示し、且つ購入リストに選択されたコーヒーを追加する。
【００６４】
その後、消費者がスプーンと箸を表す入力ユニットを押すことにより、スプーンと箸選択命令を生成して処理ユニット１０３に送信して２０円を引き落とす。そして処理ユニット１０３が使用者インターフェイス１０２を制御して残高４５０円を表示し、且つ購入リストに選択されたスプーンと箸を追加する。
【００６５】
そして、消費者が炭酸飲料を表す入力ユニットを２回押すことにより、炭酸飲料選択命令を２回生成して処理ユニット１０３に送信して３０円を２回引き落とす。１回目の時使用者インターフェイス１０２に表示された残高は４２０円であり、２回目の時使用者インターフェイスに表示された残高は３９０円であり、且つ購入リストに選択された二つの炭酸飲料を追加する。
【００６６】
その時、もし消費者がまだ購買意欲があって、且つ残高が足りるなら、消費者は商品金額が残高より低い物を表す入力ユニットを押すことにより商品選択命令を生成して商品を購入することができ、且つ相応な金額を引き落とす。また、消費者が再選択したいなら、再選択を表す入力ユニットを押すことにより、使用者インターフェイス１０２に最初の画面および支払情報を表示する。また、もし消費者が返金したいなら、返金を表す入力ユニットを押して支払った５００円を取り戻す。また、消費者が注文確認を表す入力ユニットを押すなら、処理ユニット１０３は商品供給モジュールを制御して、コーヒー一杯、炭酸飲料二つ、およびスプーンと箸一セットを消費者に提供し、且つ支払いモジュール１０４を制御してお釣りの３９０円を出金する。
【００６７】
上述のように、本実施例において、消費者が支払いモジュールを介してお金を支払った後に、購入したい商品を表す入力ユニットを毎回押すことにより、使用者インターフェイスに購入リストおよび残高を表示し、消費者が注文確認を表す入力ユニットを押すと、このシステムは商品供給モジュールを介して相応な商品を提供し、且つ支払いモジュールを介して残高を消費者に出金する。
【００６８】
本発明は実施例により開示されたが、それは本発明の範囲を限定するためのものではない。当業者であれば、本発明の範囲及び趣旨を逸脱することなく均等範囲内における変更及び修正をすることができるため、本発明が保護を要求する範囲は添付の特許請求の範囲で扱うものとする。
【符号の説明】
【００６９】
１０：販売インターフェイス整合システム
１０２：使用者インターフェイス
１０２１：商品項目
１０２２：入力ユニット
１０３：処理ユニット
１０４：支払いモジュール
１０５：商品供給モジュール
Ｓ２０１〜Ｓ２０８、Ｓ３０１〜Ｓ３０６、Ｓ４０１〜Ｓ４１０、Ｓ５０１〜Ｓ５０８：ステップ
【図１】
2019028976.tif 000003
【図２】
2019028976.tif 000004
【図３】
2019028976.tif 000005
【図４】
2019028976.tif 000006
【図５】
2019028976.tif 000007